(57)【特許請求の範囲】
【請求項１】
排水口の形成された底壁部、及び、当該底壁部の外周に立設された周壁部を有する浴槽本体、並びに、前記周壁部の外周面の一部を覆うエプロンを具備する浴槽に取付けられた、前記排水口を開閉可能な栓蓋を操作するための操作装置であって、
前記浴槽に対し相対変位可能な操作部材を有してなる装置本体と、
前記操作部材の変位により動作し前記変位による駆動力を前記栓蓋側へと伝達する伝達部を有するとともに、前記装置本体に取付けられた伝達用部材とを備え、
前記エプロンは、
前記浴槽本体に対し着脱可能に構成された第一エプロンと、
前記浴槽本体に対し通常は着脱しないように構成された第二エプロンとを有し、
前記装置本体は、前記第二エプロンに取付けられた状態とされていることを特徴とする操作装置。
【請求項２】
排水口の形成された底壁部、及び、当該底壁部の外周に立設された周壁部を有する浴槽本体、並びに、前記周壁部の外周面の一部を覆うエプロンを具備する浴槽に取付けられた、前記排水口を開閉可能な栓蓋を操作するための操作装置であって、
前記浴槽に対し相対変位可能な操作部材を有してなる装置本体と、
前記操作部材の変位により動作し前記変位による駆動力を前記栓蓋側へと伝達する伝達部を有するとともに、前記装置本体に取付けられた伝達用部材とを備え、
前記エプロンは、
前記浴槽本体に対し着脱可能に構成された第一エプロンと、
前記浴槽本体に対し前記第一エプロンが取付けられている状態では前記浴槽本体に対し着脱不能である一方、前記浴槽本体から前記第一エプロンを取外した状態では前記浴槽本体に対し着脱可能に構成された第二エプロンとを有し、
前記装置本体は、前記第二エプロンに取付けられた状態とされていることを特徴とする操作装置。
【請求項３】
前記装置本体は、前記エプロンの上部において、前記第二エプロンに対し取付けられた状態とされていることを特徴とする請求項１又は２に記載の操作装置。
【請求項４】
前記第二エプロンは、前記エプロンにおけるその幅方向端部に位置することを特徴とする請求項１乃至３のいずれか１項に記載の操作装置。
【請求項５】
前記装置本体は、前記エプロンの幅方向に沿って、前記排水口の形成位置とほぼ同一の位置に配置されていることを特徴とする請求項１乃至４のいずれか１項に記載の操作装置。
【請求項６】
前記第二エプロンには、所定のガイド孔が形成されるとともに、
前記操作部材は、外縁形状が少なくとも前記ガイド孔の開口に対応する形状をなす被押圧部を有し、かつ、前記ガイド孔に対し往復移動可能な状態で挿設されていることを特徴とする請求項１乃至５のいずれか１項に記載の操作装置。
【請求項７】
前記排水口を開状態又は閉状態としたときにおいて、前記被押圧部の表面と前記第二エプロンの表面とが面一となるように構成されていることを特徴とする請求項６に記載の操作装置。
【発明の詳細な説明】
【技術分野】
【０００１】
本発明は、浴槽の排水口を開閉可能な栓蓋を遠隔操作するための操作装置に関する。
【背景技術】
【０００２】
従来、浴槽の排水口を開閉するための栓蓋を遠隔操作する操作装置が知られている。
【０００３】
このような操作装置は、装置本体と、これに取付けられた伝達用部材とを備えている。装置本体は、例えば、筒状のガイド部材や当該ガイド部材の内周に挿通された操作部材（例えば、操作ボタン）などを有するものであり、排水口を開閉する際に使用者によって操作されるものである。また、装置本体は、一般に、浴槽の周壁部上端から外周に突出形成されたフランジ部（リム面）や、浴槽からの水の溢れ出しを防止するためのオーバーフロー口等に取付けられている（例えば、特許文献１，２等参照）。伝達用部材は、例えば、筒状のチューブ部材や当該チューブ部材の内周において往復移動可能な状態で配置された伝達部（例えば、ワイヤー等）などを有するものであり、操作部材の変位による駆動力を栓蓋側へと伝達するために用いられる。
【０００４】
また、一般に浴槽においては、周壁部等を備えてなる浴槽本体に対し、周壁部を覆うエプロンが取付けられている。そこで、エプロンに対し装置本体を取付けることが考えられる。フランジ部に対して風呂蓋を置くときに、フランジ部に装置本体が取付けられていれば、装置本体に風呂蓋が載ってしまうなど、装置本体の存在が邪魔になるといった事態が生じ得るが、エプロンに装置本体が取付けられていれば、このような事態は生じなくなり、結果として、良好な利便性を得ることができる。また、フランジ部に装置本体が存在しなくなることで、装置本体に対する意図しない接触が生じにくくなり、その結果、安全性の向上を図ることができる。
【先行技術文献】
【特許文献】
【０００５】
【特許文献１】特開２０１３−２５３４１５号公報
【特許文献２】特開２０１１−１７４３４６号公報
【発明の概要】
【発明が解決しようとする課題】
【０００６】
しかしながら、通常、エプロンは、浴槽本体や排水管などの点検やメンテナンス等を行う場合を考慮して、浴槽本体に対し着脱可能に構成されている。例えば、浴槽本体に対し被係止部を設けるとともに、エプロンに対し係止部を設け、前記被係止部に対する前記係止部の係止及び係止解除を容易に可能とすることで、浴槽本体に対しエプロンが着脱可能とされる。そのため、装置本体をエプロンに取付けると、点検時などにおいてエプロンを外したときに、エプロンとともに装置本体が移動し、ひいては装置本体に取付けられた伝達用部材が引っ張られてしまうおそれがある。その結果、伝達用部材自体やこれに取付けられた各種部品において破損や変形が生じてしまうおそれがある。
【０００７】
本発明は、上記事情に鑑みてなされたものであり、その目的は、利便性や安全性の向上を図りつつ、伝達用部材等の破損や変形をより確実に防止することができる操作装置を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．排水口の形成された底壁部、及び、当該底壁部の外周に立設された周壁部を有する浴槽本体、並びに、前記周壁部の外周面の一部を覆うエプロンを具備する浴槽に取付けられた、前記排水口を開閉可能な栓蓋を操作するための操作装置であって、
前記浴槽に対し相対変位可能な操作部材を有してなる装置本体と、
前記操作部材の変位により動作し前記変位による駆動力を前記栓蓋側へと伝達する伝達部を有するとともに、前記装置本体に取付けられた伝達用部材とを備え、
前記エプロンは、
前記浴槽本体に対し着脱可能に構成された第一エプロンと、
前記浴槽本体に対し通常は着脱しないように構成された第二エプロンとを有し、
前記装置本体は、前記第二エプロンに取付けられた状態とされていることを特徴とする操作装置。
【００１０】
尚、「浴槽本体に対し通常は着脱しないように構成された第二エプロン」とは、点検等の際に、第一に外されることとなる第一エプロンと異なり、点検等の際に、通常取外す必要のないものをいう。例えば、第二エプロンとしては、浴槽本体に対し取付・取外可能ではあるものの、その取付・取外に手間や労力が必要となる〔例えば、取付・取外の行いにくい位置にてねじ止めされていること等により、取付られている〕ものや、浴槽本体に対し接着などにより固着されているものなどを挙げることができる。また、第二エプロンは、浴槽本体に対し、直接的に取付けられていてもよいし、間接的に取付けられていてもよい。
【００１１】
上記手段１によれば、エプロンは、浴槽本体に対し着脱可能に構成された第一エプロンを有している。そのため、第一エプロンを外すことで、浴槽本体や排水管などの点検やメンテナンス等を容易に行うことが可能となる。
【００１２】
また、エプロンは、浴槽本体に対し通常着脱されない第二エプロンを備えており、装置本体は、第二エプロンに取付けられた状態とされている。従って、点検などの際に第一エプロンを外したとしても、装置本体が移動することはなく、また、装置本体に取付けられた伝達用部材が引っ張られてしまうといったこともない。これにより、伝達用部材自体やこれに取付けられた各種部品における破損や変形をより確実に防止することができる。
【００１３】
さらに、上記手段１によれば、エプロンに装置本体が取付けられるため、周壁部の上端から外周に突出するフランジ部に風呂蓋を置く場合などに、装置本体が邪魔になることはなく、利便性を向上させることができる。また、フランジ部に装置本体を取付けた場合と比較して、装置本体に対する意図しない接触が生じにくくなり、安全性の向上を図ることができる。
【００１４】
手段２．排水口の形成された底壁部、及び、当該底壁部の外周に立設された周壁部を有する浴槽本体、並びに、前記周壁部の外周面の一部を覆うエプロンを具備する浴槽に取付けられた、前記排水口を開閉可能な栓蓋を操作するための操作装置であって、
前記浴槽に対し相対変位可能な操作部材を有してなる装置本体と、
前記操作部材の変位により動作し前記変位による駆動力を前記栓蓋側へと伝達する伝達部を有するとともに、前記装置本体に取付けられた伝達用部材とを備え、
前記エプロンは、
前記浴槽本体に対し着脱可能に構成された第一エプロンと、
前記浴槽本体に対し前記第一エプロンが取付けられている状態では前記浴槽本体に対し着脱不能である一方、前記浴槽本体から前記第一エプロンを取外した状態では前記浴槽本体に対し着脱可能に構成された第二エプロンとを有し、
前記装置本体は、前記第二エプロンに取付けられた状態とされていることを特徴とする操作装置。
【００１５】
上記手段２によれば、第一エプロンは、浴槽本体に対し着脱可能に構成されているため、当該第一エプロンを外すことで、浴槽本体や排水管などの点検やメンテナンス等を容易に行うことが可能となる。
【００１６】
また、エプロンは、浴槽本体に対し第一エプロンが取付けられている状態では浴槽本体に対し着脱不能である一方、浴槽本体から第一エプロンを取外した状態では浴槽本体に対し着脱可能な第二エプロンを有しており、装置本体は、第二エプロンに取付けられた状態とされている。従って、点検などを行うべく、エプロンを外そうとした場合、第一エプロンを外さない限り、第二エプロンを外すことができないこととなる。そのため、点検などに際して、第一エプロンよりも先に第二エプロンが外されてしまい、ひいては装置本体に取付けられた伝達用部材が引っ張られてしまうといった事態を効果的に抑制することができる。その結果、伝達用部材自体やこれに取付けられた各種部品における破損や変形をより確実に防止することができる。
【００１７】
加えて、第一エプロンを外した状態では、第二エプロンを外すことができるため、必要に応じて、第二エプロンで覆われている箇所やその近傍の点検等を容易に行うことができる。そのため、点検等に係る作業性を非常に良好なものとすることができる。尚、第一エプロンを外した状態とすれば、作業者は伝達用部材などに気づきやすくなるため、第二エプロンを外す際に、伝達用部材が引っ張られてしまうという事態は生じにくくなる。また、第一エプロンを外すことで生じた開口を利用して、第二エプロンから装置本体を取外したり、装置本体から伝達用部材を分離させたりするといったこともできる。従って、伝達用部材等の破損や変形をより確実に防止するという上述の作用効果は、十分に奏されることとなる。
【００１８】
さらに、上記手段２によれば、周壁部の上端から外周に突出するフランジ部に風呂蓋を置く場合などに、装置本体が邪魔になることはなく、利便性を向上させることができる。また、フランジ部に装置本体を取付けた場合と比較して、装置本体に対する意図しない接触が生じにくくなり、安全性の向上を図ることができる。
【００１９】
手段３．前記装置本体は、前記エプロンの上部において、前記第二エプロンに対し取付けられた状態とされていることを特徴とする手段１又は２に記載の操作装置。
【００２０】
上記手段３によれば、操作部材に手が届きやすくなり、操作性の向上を図ることができる。
【００２１】
尚、フランジ部に手の指をついた上で、当該手のその他の指で操作部材を操作することが可能な位置に装置本体を設けた場合には、操作部材の操作がより容易となり、操作性を一層向上させることができる。
【００２２】
手段４．前記第二エプロンは、前記エプロンにおけるその幅方向端部に位置することを特徴とする手段１乃至３のいずれかに記載の操作装置。
【００２３】
上記手段４によれば、第二エプロンがエプロンの幅方向端部に位置しているため、装置本体をエプロンの幅方向端部に設けることができる。ここで、エプロンの幅方向端部は、その裏側に位置する浴槽本体と比較的大きく離れた状態であったり、その裏側に浴槽本体が存在していない状態であったりして、その裏側の空間が比較的大きな奥行を有していることが一般的である。従って、装置本体をエプロンの幅方向端部に設けることで、装置本体の配置スペースをより確実に確保することができる。その結果、装置本体の取付やメンテナンス等に係る作業性などを向上させることができる。
【００２４】
また、浴室内においては、エプロンのその幅方向端部と相対する位置にカウンタが配置され、また、当該カウンタの近傍に水栓の操作部やシャワーなどの設備が配置されることがある。従って、このような場合に、カウンタ側へと第二エプロンを設けるとともに、当該第二エプロンへと装置本体を取付けることで、前記カウンタや水栓の操作部などの近傍に、装置本体を配置することができる。つまり、装置本体やカウンタ、水栓の操作部などを一か所に集めることができる。これにより、使用者は、前記カウンタなどを使用している状態で、操作部材を操作することが可能となる。その結果、より良好な利便性を実現することができる。
【００２５】
一方、カウンタ側においては、水栓の操作部やシャワー等の設備に係る各種部材が配置されるため、カウンタ側へと装置本体を取付ける際に、装置本体に係る部材の配置が難しくなってしまうおそれがある。そこで、このような点を考慮して、カウンタとは反対側に位置するエプロンの幅方向端部に第二エプロンを設け、当該第二エプロンへと装置本体を取付けてもよい。この場合には、装置本体や伝達用部材などの配置がすっきりしたものとなり、取付やメンテナンス等に係る作業性などをより向上させることができる。
【００２６】
手段５．前記装置本体は、前記エプロンの幅方向に沿って、前記排水口の形成位置とほぼ同一の位置に配置されていることを特徴とする手段１乃至４のいずれかに記載の操作装置。
【００２７】
尚、「ほぼ同一」というのは、装置本体及び排水口がエプロンの幅方向に沿って厳密に同一位置に設けられている場合のみならず、装置本体が排水口に対し前記幅方向に沿って若干ずれている場合も含むという趣旨である。
【００２８】
上記手段５によれば、装置本体は、エプロンの幅方向に沿って排水口の形成位置とほぼ同一の位置に設けられている。従って、伝達用部材を極力短いものとすることができる。その結果、伝達用部材を配設する際の取り回しを容易なものとすることができ、取付作業性などを高めることができる。また、製造コストの低減を図ることができる。さらに、伝達部のより円滑な動作を図ることができ、より良好な操作性を得ることができる。
【００２９】
手段６．前記第二エプロンには、所定のガイド孔が形成されるとともに、
前記操作部材は、外縁形状が少なくとも前記ガイド孔の開口に対応する形状をなす被押圧部を有し、かつ、前記ガイド孔に対し往復移動可能な状態で挿設されていることを特徴とする手段１乃至５のいずれかに記載の操作装置。
【００３０】
操作部材を往復移動可能なもの（例えば、押ボタンなど）とする場合には、その移動をガイドするためのガイド部材を用いることがある。ガイド部材は、一端に鍔部を有する筒状をなしており、その内周のガイド孔へと操作部材が配置される。また、ガイド部材は、装置の取付対象に形成された取付孔へと挿設される。ここで、エプロンに装置本体を設ける場合には、エプロン表面に対し直接又は間接的に鍔部が配置された状態で、エプロンに形成された取付孔へとガイド部材が挿設されることとなる。しかしながら、この場合には、鍔部の外周部分に汚れ等が付着してしまいやすくなる。また、ガイド部材を設ける分だけ、製造コストが増大してしまうおそれがある。
【００３１】
この点、上記手段６によれば、第二エプロン自体にガイド孔が形成されており、このガイド孔に対し操作部材が挿設されている。従って、製造コストの低減を図ることができる。また、第二エプロンの表面に鍔部のような突出部分が存在しなくなるため、衛生性や清掃性を高めることができるとともに、外観品質の向上を図ることができる。
【００３２】
手段７．前記排水口を開状態又は閉状態としたときにおいて、前記被押圧部の表面と前記第二エプロンの表面とが面一となるように構成されていることを特徴とする手段６に記載の操作装置。
【００３３】
尚、「面一」とあるのは、被押圧部の表面と第二エプロンの表面との間に隙間や段差が存在していない場合のみならず、両者の間に若干の隙間や段差が存在している場合も含む。
【００３４】
上記手段７によれば、排水口を開状態又は閉状態としたときにおいて、被押圧部の表面と第二エプロンの表面とが面一となるように構成されている。従って、第二エプロンを正面から見たとき、その表面は面一であって、かつ、被押圧部のみが存在しているような状態となる。つまり、非常にすっきりとした外観となる。これにより、外観品質を飛躍的に向上させることができる。
【図面の簡単な説明】
【００３５】
【図１】開閉操作部付き浴槽の正面図である。
【図２】開閉操作部付き浴槽の断面図である。
【図３】操作装置等の断面図である。
【図４】第２実施形態における、開閉操作部付き浴槽の正面図である。
【図５】第２実施形態における、開閉操作部付き浴槽の平面図である。
【図６】第２実施形態における、開閉操作部付き浴槽の断面図である。
【図７】第３実施形態における、開閉操作部付き浴槽の正面図である。
【図８】別の実施形態における第二エプロン等の構成を示すための第二エプロン等の断面図である。
【図９】別の実施形態における第二エプロンの構成を示すための開閉操作部付き浴槽の正面図である。
【図１０】別の実施形態における第一エプロン及び第二エプロンの構成を示すための開閉操作部付き浴槽の正面図である。
【図１１】別の実施形態における第一エプロン及び第二エプロンの構成を示すための開閉操作部付き浴槽の正面図である。
【図１２】別の実施形態における、エプロン及び鍔部の構成を示すための操作装置等の断面図である。
【発明を実施するための形態】
【００３６】
以下に、実施形態について図面を参照しつつ説明する。
〔第１実施形態〕
本実施形態において、開閉操作部付き浴槽１は、図１及び図２に示すように、浴槽２、排水栓装置３及び操作装置４を備えている。
【００３７】
浴槽２は、貯水空間を有する浴槽本体２１と、当該浴槽本体２１に取付けられたエプロン２２とを備えている。
【００３８】
浴槽本体２１は、排水口２３が貫通形成された底壁部２４と、当該底壁部２４の四方を囲うようにして底壁部２４の外周に立設された周壁部２５と、当該周壁部２５の上部から外側に向けて突出形成されたフランジ部２６と、当該フランジ部２６の外周縁から鉛直下方に向けて垂れ下がるように形成された垂下部２７とを具備している。底壁部２４及び周壁部２５によって、前記貯水空間が形成されている。
【００３９】
エプロン２２は、板状をなし、浴槽本体２１に対し所定の取付具（図示せず）によって取付けられている。また、エプロン２２は、洗い場側（図２の右側）に位置する垂下部２７の下方において、当該垂下部２７の下端縁と隣接するようにして配置されており、洗い場側から周壁部２５の外周面等が視認不能となるように周壁部２５の外周面の少なくとも一部を覆っている。
【００４０】
尚、本実施形態において、エプロン２２の表面及び垂下部２７の表面は面一となっているが、必ずしも面一である必要はない。例えば、垂下部２７の表面に対し、エプロン２２の表面が洗い場側に出た状態となっていてもよいし、周壁部２５側へと引っ込んだ状態となっていてもよい。
【００４１】
さらに、エプロン２２は、自身の板厚方向に延びる円形状の貫通孔２２Ａを有している（図３参照）。尚、エプロン２２の詳しい構成については後に説明する。
【００４２】
排水栓装置３は、前記排水口２３を開閉するための装置であり、排水口２３に対応して設けられている。排水栓装置３は、上下動可能な支持軸を有する支持軸機構３１と、前記支持軸の先端部に取付けられた栓蓋３２とを備えている。
【００４３】
支持軸機構３１における前記支持軸は、後述する伝達部５４の他端部と接触可能となっており、伝達部５４の往動（操作装置４から排水栓装置３側への移動）に伴い、当該伝達部５４により持ち上げられることで上動する。そして、支持軸の上動に伴い栓蓋３２が排水口２３に挿設された筒状の排水口部材から離間することで、排水口２３が開放される。一方、この状態で伝達部５４が復動すると、前記支持軸が下動する。前記支持軸の下動に伴い栓蓋３２が前記排水口部材へと接触することで、排水口２３が閉鎖される。尚、栓蓋３２が底壁部２４に対し接触又は離間することで、排水口２３が開閉されるように構成してもよい。また、排水口２３を通過した排水は、筒状の排水管３３内へと流れ落ちて排出されることとなる。
【００４４】
操作装置４は、栓蓋３２を遠隔操作するために用いられる装置である。操作装置４は、図３に示すように、装置本体４１及び伝達用部材４２を備えている。
【００４５】
装置本体４１は、ガイド部材４３及び操作部材としての操作ボタン４４などを備えている。
【００４６】
ガイド部材４３は、前記貫通孔２２Ａに挿通された筒状のガイド本体部４５と、当該ガイド本体部４５の端部から外側に突出形成された矩形鍔状の鍔部４６とを備えている。
【００４７】
ガイド本体部４５は、自身の中心軸と直交する断面において自身の外周面が円形状をなす一方、自身の中心軸と直交する断面において自身の内側面が矩形状をなすように構成されている。そして、ガイド本体部４５の内側面によって、エプロン２２の表面側（洗い場側）に開口する正面視矩形状の取付孔４７が形成されている。
【００４８】
また、ガイド本体部４５の外周には、雄ねじ部４８が形成されている。ガイド部材４３は、エプロン２２の表面側（洗い場側）から貫通孔２２Ａに挿通された上で、前記雄ねじ部４８が内周に雌ねじの形成された環状の取付部材４９へと螺合された状態となっている。これにより、取付部材４９及び鍔部４６によりエプロン２２が挟み込まれ、ガイド部材４３がエプロン２２へと取付けられた状態となっている。
【００４９】
加えて、鍔部４６とエプロン２２の表面との間には、弾性変形可能な環状のシール部材５が両者に挟まれた状態で配置されている。当該シール部材５によってエプロン２２及びガイド部材４３間への水の浸入抑制が図られている。また、ガイド部材４３における鍔部４６とは反対側の端部開口には、弾性変形可能な環状のシール部材６が嵌め込まれている。当該シール部材６によって、ガイド部材４３内に入り込んだ水がエプロン２２と周壁部２５との間の空間へと漏れ出さないようになっている。
【００５０】
操作ボタン４４は、エプロン２２の表面側（洗い場側）に表出する板状の被押圧部５０を備えている。被押圧部５０は、外縁形状が少なくとも前記取付孔４７の開口に対応する形状をなしており、本実施形態では、矩形状をなしている。
【００５１】
また、操作ボタン４４は、取付孔４７に挿設されており、ガイド部材４３の軸方向に沿って往復移動可能となっている。さらに、操作ボタン４４は、前記往復移動方向に沿って圧縮された弾性部材５１によって常に復動方向へと付勢された状態となっている。
【００５２】
加えて、操作ボタン４４は、排水口２３が閉鎖されている状態において、被押圧部５０の表面が鍔部４６の表面とほぼ面一となった状態で配置されるようになっている。
【００５３】
一方、この状態において、エプロン２２の表面側（洗い場側）から被押圧部５０を押圧し、操作ボタン４４を所定位置を超える位置まで往動させた状態で、被押圧部５０に対する押圧力を解除すると、操作ボタン４４は、被押圧部５０が取付孔４７の奥側へと押し込まれた状態で、回転リングや当該回転リングが係止される被係止部等を備えてなるロック機構５２によって復動不能な状態でロックされる。
【００５４】
また、操作ボタン４４がロックされた状態で、被押圧部５０を再度押圧し、操作ボタン４４を前記所定位置を超える位置まで往動させると、前記ロック機構５２によるロックが解除される。この状態で、被押圧部５０に対する押圧力を解除すると、弾性部材５１からの付勢力により、操作ボタン４４が復動する。そして、操作ボタン４４は、被押圧部５０の表面が鍔部４６の表面とほぼ面一となった状態で停止することとなる。
【００５５】
尚、本実施形態において、操作ボタン４４は、ガイド部材４３から突出することはなく、常にガイド部材４３の内側に配置された状態となっている。そのため、安全性の向上などを図ることができるようになっている。
【００５６】
伝達用部材４２は、チューブ部材５３と伝達部５４とを備えている。
【００５７】
チューブ部材５３は、長尺筒状をなしており、一端部が操作装置４（ガイド部材４３）に取付けられるとともに、他端部が排水栓装置３に取付けられている。
【００５８】
伝達部５４は、例えば、金属製のワイヤーにより構成されており、チューブ部材５３の内周において往復移動可能な状態で配置されている。また、伝達部５４は、一端部が操作ボタン４４に対し接触可能とされ、他端部が支持軸機構３１の前記支持軸に対し接触可能とされている。そして、伝達部５４は、操作ボタン４４の変位に伴い移動することで、前記変位による駆動力を栓蓋３２側へと伝達するように構成されている。
【００５９】
具体的には、排水口２３が閉鎖されている状態において、被押圧部５０の押圧に伴い操作ボタン４４が往動すると、操作ボタン４４に押される形で伝達部５４がチューブ部材５３内を往動する。その結果、前記支持軸及び栓蓋３２が上動して排水口２３が開放される。尚、このとき、操作ボタン４４は、前記ロック機構５２により復動不能な状態でロックされるため、栓蓋３２は所定の上方位置にて停止し、ひいては排水口２３が開放された状態で維持される。
【００６０】
一方、排水口２３が開放されている状態において、被押圧部５０の押圧に伴い操作ボタン４４が往動すると、操作ボタン４４のロックが解除され、弾性部材５１の付勢力により操作ボタン４４が復動する。そして、前記支持軸及び栓蓋３２が、自重や排水栓装置３に設けられた戻しばね（図示せず）により下動し、ひいては排水口２３が閉鎖される。また、前記支持軸の下動に伴い、伝達部５４はチューブ部材５３内を復動して元の位置に戻ることとなる。
【００６１】
次いで、エプロン２２の構成について説明する。図１に示すように、エプロン２２は、それぞれ板状をなす第一エプロン６１及び第二エプロン６２を備えている。
【００６２】
第一エプロン６１及び第二エプロン６２は、エプロン２２の幅方向（図１のＸ方向）に沿って重ならずに並んだ状態で設けられており、第一エプロン６１は、第二エプロン６２よりも幅広とされている。
【００６３】
第一エプロン６１は、エプロン２２におけるその幅方向一端からその幅方向中心を超える位置までの部位を構成している。第一エプロン６１は、浴槽本体２１や排水栓装置３に接続される排水管（図示せず）などを点検したり、メンテナンスしたりする際に取外される部位であり、例えば、浴槽本体２１に対し直接又は間接的に係止されることで、浴槽本体２１に対し着脱可能とされている。尚、第一エプロン６１は、取付・取外の行いやすい位置にてねじ止めされること等により、浴槽本体２１に対し着脱可能であってもよい。
【００６４】
尚、浴槽本体２１に対し第一エプロン６１を着脱可能とする構成としては種々の手法を採用することができる。例えば、垂下部２７の裏側に垂下部２７と平行な壁部を設けることにより、フランジ部２６の裏側に、フランジ部２６、垂下部２７及び前記壁部からなる浴槽本体２１の幅方向（図１のＸ方向）に延びる取付用の溝を設け、この溝を利用することにより、浴槽本体２１に対し第一エプロン６１を着脱可能としてもよい。具体的には、前記溝に対し第一エプロン６１を斜めにした状態での第一エプロン６１の上部を配置し、その上で、第一エプロン６１の下部を周壁部２５側へと押し込み、第一エプロン６１の下端部を洗い場の床面などに載置することで、浴槽本体２１に対し第一エプロン６１が取付けられ、一方、第一エプロン６１を持ち上げながら第一エプロン６１の下部を引くことで、浴槽本体２１から第一エプロン６１が取外されるように構成することにより、浴槽本体２１に対し第一エプロン６１を着脱可能としてもよい。
【００６５】
第二エプロン６２は、エプロン２２におけるその幅方向他端側の部分を構成している。第二エプロン６２におけるエプロン２２の幅方向中心側に位置する部位の裏側には、浴槽本体２１が位置しているが、当該部位から浴槽本体２１までの最短距離は、第一エプロン６１からその裏側の浴槽本体２１までの最短距離よりも大きなものとなっている。また、第二エプロン６２におけるエプロン２２の幅方向中心とは反対側に位置する部位の裏側には、浴槽本体２１が存在しない状態となっている。すなわち、第二エプロン６２の裏側の空間は、第一エプロン６１の裏側の空間と比べて、より大きな奥行を有している。
【００６６】
また、第二エプロン６２は、前記点検時などにおいて特に取外す必要のない部位であり、例えば、取付・取外しの行いにくい位置でのねじ止め、接着などによって、浴槽本体２１に対し直接又は間接的に取付けられている。すなわち、第二エプロン６２は、浴槽本体２１から取外不能に構成されていたり、ある程度の手間や労力をかけない限り浴槽本体２１から外れないように構成されていたり（第一エプロン６１と比べて、浴槽本体２１に対する着脱が行いにくいように構成されていたり）するものであり、浴槽本体２１に対し通常は着脱しないように構成されている。
【００６７】
さらに、本実施形態において、前記貫通孔２２Ａは、第二エプロン６２の幅方向中心における上部に形成されている。これにより、装置本体４１は、エプロン２２の上部において、第二エプロン６２に対し取付けられた状態とされている。
【００６８】
また、本実施形態においては、貫通孔２２Ａは、その中心からフランジ部２６の上面までの距離が比較的小さなものとなる位置に形成されており、被押圧部５０の中心からフランジ部２６の上面までの距離が比較的小さなもの（例えば、１００ｍｍ以下）となっている。そのため、片手の親指をフランジ部２６にかけた（置いた）状態で、当該片手のその他の指（例えば、人差し指や中指）により被押圧部５０を押圧する（操作ボタン４４を操作する）ことができるようになっている。また、片手における親指以外の指（例えば、人差し指や中指など）をフランジ部２６にかけた（置いた）状態で、当該片手の親指により被押圧部５０を押圧する（操作ボタン４４を操作する）ことも可能となっている。
【００６９】
尚、本実施形態では、洗い場側における、第二エプロン６２とは反対側に位置する第一エプロン６１の端部側と相対する位置に、図示しないカウンタが配置されている。また、当該カウンタの近傍には、水栓の操作部やシャワーなどの設備が配設されている。
【００７０】
以上詳述したように、本実施形態によれば、第一エプロン６１を外すことで、浴槽本体２１や排水管などの点検やメンテナンス等を容易に行うことが可能となる。
【００７１】
また、装置本体４１は、浴槽本体２１に対し通常着脱されない第二エプロン６２に対し取付けられた状態とされている。従って、点検などの際に第一エプロン６１を外したとしても、装置本体４１が移動することはなく、また、装置本体４１に取付けられた伝達用部材４２が引っ張られてしまうといったこともない。これにより、伝達用部材４２自体やこれに取付けられた各種部品における破損や変形をより確実に防止することができる。
【００７２】
さらに、第二エプロン６２に装置本体４１が取付けられるため、フランジ部２６に風呂蓋を置く場合などに、装置本体４１が邪魔になることはなく、利便性を向上させることができる。また、フランジ部２６に装置本体４１を取付けた場合と比較して、装置本体４１に対する意図しない接触が生じにくくなり、安全性の向上を図ることができる。
【００７３】
加えて、エプロン２２の上部に装置本体４１が配置されているため、操作ボタン４４に手が届きやすくなり、操作性の向上を図ることができる。特に本実施形態では、フランジ部２６に手の指をついた上で、当該手のその他の指で操作ボタン４４を操作することが可能であるため、非常に良好な操作性を得ることができる。
【００７４】
さらに、第二エプロン６２の裏側の空間は比較的大きな奥行を有しているため、装置本体４１の配置スペースをより確実に確保することができる。その結果、装置本体４１の取付やメンテナンス等に係る作業性などを向上させることができる。
【００７５】
また、本実施形態によれば、水栓の操作部やシャワー等の設備に係る各種部材から離れた位置に、装置本体４１や伝達用部材４２などを配置することができ、これらの配置がすっきりしたものとなる。従って、取付やメンテナンス等に係る作業性などをより向上させることができる。
〔第２実施形態〕
次いで、第２実施形態について、上記第１実施形態との相違点を中心に説明する。
【００７６】
上記第１実施形態においては、第二エプロン６２は、エプロン２２の幅方向他端側に設けられている。これに対し、本第２実施形態における第二エプロン６５は、図４に示すように、エプロン２２の幅方向中心部に設けられている。そして、図４〜６に示すように、第二エプロン６５におけるその幅方向中心に対し、装置本体４１が取付けられている。
【００７７】
また、本第２実施形態では、第二エプロン６５の幅方向中心と排水口２３の中心とが、エプロン２２の幅方向（図５のＸ方向）に沿ってほぼ同一の位置に配置された状態となっている。その結果、装置本体４１は、エプロン２２の幅方向に沿って排水口２３の形成位置とほぼ同一の位置に設けられた状態となっている。尚、「装置本体４１は、エプロン２２の幅方向に沿って排水口２３の形成位置とほぼ同一の位置に設けられる」とあるのは、装置本体４１と排水口２３とがエプロン２２の幅方向に沿って厳密に同一の位置に設けられている場合のみならず、両者がエプロン２２の幅方向に沿って若干（例えば、１００ｍｍ以下）ずれている場合も含む。
【００７８】
加えて、第二エプロン６５は、上記第１実施形態と同様に、取付・取外しの行いにくい位置でのねじ止め等により、浴槽本体２１に対し通常は着脱しない状態で取付けられている。
【００７９】
さらに、本第２実施形態において、第一エプロン６３，６４は、第二エプロン６５を挟む位置に２つ設けられている。但し、第一エプロン６３，６４は、上記第１実施形態と同様に、浴槽本体２１に対し着脱可能に構成されている。
【００８０】
以上、本第２実施形態によれば、基本的には上記第１実施形態と同様の作用効果が奏されることとなる。
【００８１】
また、第２実施形態によれば、装置本体４１は、エプロン２２の幅方向に沿って排水口２３の形成位置とほぼ同一の位置に設けられている。そのため、伝達用部材４２を極力短いものとすることができる。その結果、伝達用部材４２を配設する際の取り回しを容易なものとすることができ、取付作業性などを高めることができる。また、製造コストの低減を図ることができる。さらに、伝達部５４のより円滑な動作（移動）を図ることができ、より良好な操作性を得ることができる。
〔第３実施形態〕
次いで、第３実施形態について、上記各実施形態との相違点を中心に説明する。
【００８２】
上記実施形態において、第一エプロン６１（６３，６４）及び第二エプロン６２（６５）は、エプロン２２の幅方向において重ならずに並んだ状態で設けられている。これに対し、本第３実施形態では、図７に示すように、第一エプロン６６及び第二エプロン６７は、エプロン２２の幅方向においてその一部が重なり合った状態で設けられている（図７では、両エプロン６６，６７の重なり部分を散点模様で示す）。具体的には、第二エプロン６７におけるエプロン２２の幅方向中心側に位置する端部が、第一エプロン６６の裏側（洗い場とは反対側）に配置された状態とされている。尚、第二エプロン６７におけるエプロン２２の幅方向中心側に位置する端部の表面は、第二エプロン６７におけるその他の部位の表面よりも浴槽本体２１側に位置しており（つまり、前記端部の表面と前記その他の部位の表面との間には段差が存在しており）、第二エプロン６７におけるその他の部位の表面と第一エプロン６６の表面とは面一となっている。
【００８３】
また、本第３実施形態において、第一エプロン６６は、上記各実施形態と同様に、浴槽本体２１に対し着脱可能となっている。一方、第二エプロン６７は、上記各実施形態と異なり、例えば、浴槽本体２１に対し直接又は間接的に係止されることで、浴槽本体２１に対し着脱可能な状態で取付けられている。
【００８４】
但し、上記の通り、第二エプロン６７の一部は第一エプロン６６と重なった状態である。そのため、浴槽本体２１に対し第一エプロン６６が取付けられている状態において、第二エプロン６７は、浴槽本体２１に対し着脱不能となっている。浴槽本体２１から第一エプロン６６を取外すことで、第二エプロン６７は、浴槽本体２１に対し着脱可能となる。
【００８５】
尚、浴槽本体２１から第一エプロン６６を取外すことで、浴槽本体２１に対し第二エプロン６７が着脱可能となる手法は上記に限定されるものではない。従って、第一エプロン６６及び第二エプロン６７を重ねることなく、第一エプロン６６を取外すことにより生じる開口を利用することで、浴槽本体２１に対し第二エプロン６７が着脱可能となるように構成してもよい。例えば、第二エプロン６７を、前記開口側の位置でねじ止めし（つまり、取付・取外作業の行いやすい位置にてねじ止めし）、第一エプロン６６を取外すことにより生じた開口から、第二エプロン６７のねじ止めやねじ外しを行うこととしてもよい。
【００８６】
以上、本第３実施形態によれば、第一エプロン６６を外すことで、浴槽本体２１や排水管などの点検やメンテナンス等を容易に行うことが可能となる。
【００８７】
また、本第３実施形態において、第二エプロン６７は、浴槽本体２１に対し第一エプロン６６が取付けられている状態では浴槽本体２１に対し着脱不能である一方、浴槽本体２１から第一エプロン６６を取外した状態では浴槽本体２１に対し着脱可能となっている。従って、点検などを行うべく、エプロン２２を外そうとした場合、第一エプロン６６を外さない限り、第二エプロン６７を外すことができないこととなる。そのため、点検などに際して、第一エプロン６６よりも先に第二エプロン６７が外されてしまい、ひいては装置本体４１に取付けられた伝達用部材４２が引っ張られてしまうといった事態を効果的に抑制することができる。その結果、伝達用部材４２自体やこれに取付けられた各種部品における破損や変形をより確実に防止することができる。
【００８８】
加えて、第一エプロン６６を外した状態では、第二エプロン６７を外すことができるため、必要に応じて、第二エプロン６７で覆われている箇所やその近傍の点検等を容易に行うことができる。そのため、点検等に係る作業性を非常に良好なものとすることができる。尚、第一エプロン６６を外した状態とすれば、作業者は伝達用部材４２などに気づきやすくなるため、第二エプロン６７を外す際に、伝達用部材４２が引っ張られてしまうという事態は生じにくくなる。また、第一エプロン６６を外すことで生じた開口を利用して、第二エプロン６７から装置本体４１を取外したり、装置本体４１から伝達用部材４２を分離させたりするといったこともできる。従って、伝達用部材４２等の破損や変形をより確実に防止するという上述の作用効果は、十分に奏されることとなる。
【００８９】
尚、上記実施形態の記載内容に限定されず、例えば次のように実施してもよい。勿論、以下において例示しない他の応用例、変更例も当然可能である。
【００９０】
（ａ）上記実施形態において、操作ボタン４４は、ガイド部材４３の取付孔４７に挿設されているが、図８に示すように、第二エプロン６２に対し、その板厚方向に延びる窪み状のガイド孔７１を形成するとともに、当該ガイド孔７１に対し操作ボタン７２を挿設し、さらに、排水口２３を開状態又は閉状態としたときにおいて、操作ボタン７２の被押圧部７３の表面と第二エプロン６２の表面とが面一となるように構成してもよい。この場合には、ガイド部材４３を設ける必要がなくなり、製造コストの低減を図ることができる。また、第二エプロン６２の表面に鍔部４６のような突出部分が存在しなくなるため、衛生性や清掃性を高めることができるとともに、外観品質の向上を図ることができる。
【００９１】
さらに、排水口２３を開状態又は閉状態としたときにおいて、被押圧部７３の表面と第二エプロン６２の表面とが面一となるため、第二エプロン６２を正面から見たとき、その表面は面一であって、かつ、被押圧部７３のみが存在しているような状態となる。つまり、非常にすっきりとした外観となる。これにより、外観品質を飛躍的に向上させることができる。
【００９２】
（ｂ）第一エプロンや第二エプロンの形状は上記実施形態で挙げたものに限定されるわけではなく、適宜変更可能である。従って、例えば、図９に示すように、第二エプロン７５がエプロン２２の最下部に至らない形状となっていてもよい。この場合には、第一エプロン７４を取外したときにおいて、点検やメンテナンスを行うことができる範囲をより広げることができる。
【００９３】
また、図１０に示すように、第二エプロン７７が、点検やメンテナンスを行う際に用いられる貫通孔状の窓部７７Ａを備えるとともに、第一エプロン７６が窓部７７Ａに対応して配置されるように構成してもよい。この場合、第二エプロン７７に対し第一エプロン７６を着脱可能に構成することで、浴槽本体２１に対し第一エプロン７６を着脱可能としてもよい。
【００９４】
さらに、図１１に示すように、第一エプロン７８及び第二エプロン７９が上下に並んだ状態で設けられることとしてもよい。この場合においても、第二エプロン７９に対し第一エプロン７８を着脱可能に構成することで、浴槽本体２１に対し第一エプロン７８を着脱可能としてもよい。
【００９５】
尚、第一エプロンや第二エプロンの数に関しても適宜変更可能である。例えば、第一エプロンを複数設けてもよいし、第二エプロンを複数設けてもよい。
【００９６】
（ｃ）上記第１実施形態において、鍔部４６は、エプロン２２の表面から若干突出した状態となっているが、図１２に示すように、エプロン２２における貫通孔２２Ａの周囲に窪み状の凹部２２Ｂを設け、当該凹部２２Ｂに対し鍔部４６を配置することで、鍔部４６がエプロン２２の表面から非突出の状態となるように構成してもよい。例えば、エプロン２２の表面（より詳しくは、エプロン２２の表面のうち凹部２２Ｂに隣接する部位の表面）から鍔部４６の表面にかけて面一となるように構成してもよい（ここで、「面一」とは、厳密な面一のみならず、エプロン２２の表面及び鍔部４６の表面間に若干の段差や溝などが形成されている場合も含む）。鍔部４６をエプロン２２の表面から非突出の状態とすることで、良好な美観や安全性の向上を図ることができ、特にエプロン２２の表面及び鍔部４６の表面を面一とすることで、美観や安全性を一層高めることができる。
【００９７】
また、鍔部４６のうち垂下部２７側に配置される部位（垂下部２７側に延びる部位）は、その外縁に、垂下部２７の下端縁に近接又は接触するとともに、前記下端縁と平行な方向に延びる平行辺部４６Ａを備えることとしてもよい。このように構成した場合には、より良好な美観を得ることができる。
【００９８】
（ｄ）上記第１実施形態では、洗い場側における、第二エプロン６２とは反対側に位置する第一エプロン６１の端部側と相対する位置に、カウンタが配設され、また、当該カウンタの近傍に、水栓の操作部やシャワーなどの設備が配設されるように構成されている。これに対し、洗い場側における第二エプロン６２と相対する位置にカウンタを設けることとしてもよい。この場合には、カウンタや水栓の操作部などの近傍に、装置本体４１を配置することができる。つまり、装置本体４１やカウンタ、水栓の操作部などを一か所に集めることができる。これにより、使用者は、前記カウンタなどを使用している状態で、操作ボタン４４を操作することが可能となる。その結果、より良好な利便性を実現することができる。
【００９９】
（ｅ）装置本体４１の配置位置は、上記実施形態で挙げたものに限定されるわけではない。従って、例えば、装置本体４１をエプロン２２におけるその上下方向中心に配置してもよい。
【０１００】
（ｆ）上記実施形態において、被押圧部５０の外縁は正面視矩形状をなしているが、被押圧部５０の外縁形状は特に限定されるものではない。従って、被押圧部５０の外縁が、被押圧部５０の外縁が正面視円形状や正面視楕円形状、正面視多角形状（例えば、六角形状など）等をなすように構成してもよい。また、被押圧部５０の外縁形状に合わせて、操作ボタン４４の配置される取付孔の形状を適宜変更してもよい。
【０１０１】
（ｇ）上記実施形態において、ガイド部材４３は、雄ねじ部４８が取付部材４９へと螺合されることで、エプロン２２へと取付けられた状態となっているが、エプロン２２に対するガイド部材４３の取付手法はこれに限定されるものではない。従って、例えば、ガイド部材４３の外周に凸状又は凹状の被係止部を設ける一方、取付部材４９に前記被係止部へと係止可能な係止部を設け、前記被係止部に前記係止部が係止され、ガイド部材４３及び取付部材４９によりエプロン２２が挟み込まれた状態となることで、エプロン２２に対しガイド部材４３が取付けられるように構成してもよい。
【０１０２】
（ｈ）排水管３３及びガイド部材４３に接続され、伝達用部材４２が内部に配置される、伝達用部材４２よりも大径のガイド管を設けてもよい。尚、ガイド管により、ガイド部材４３内に入り込んだ水は排水管３３へと流れ落ちることとなり、エプロン２２と周壁部２５との間の空間への漏水を防止できるため、シール部材６を設ける必要はない。ガイド管を設けることで、伝達用部材４２を保護しつつ、排水栓装置３側へと伝達用部材４２をより確実に案内することができる。また、上記第３実施形態のように、第一エプロン６６を外した状態において第二エプロン６７を外すことができるように構成した場合には、ガイド管を設けることで、第一エプロン６６を外した後に、伝達用部材４２よりも大径のガイド管が目につきやすくなり、ひいては作業者が伝達用部材４２の存在により気づきやすくなる。そのため、第二エプロン６７を外す際に、伝達用部材４２が引っ張られてしまうという事態をさらに生じにくくすることができ、伝達用部材４２自体やこれに取付けられた各種部品における破損や変形をより一層確実に防止することができる。
【符号の説明】
【０１０３】
２…浴槽、４…操作装置、２１…浴槽本体、２２…エプロン、２３…排水口、２４…底壁部、２５…周壁部、３２…栓蓋、４１…装置本体、４２…伝達用部材、４４，７２…操作ボタン（操作部材）、５０，７３…被押圧部、５４…伝達部、６１，６３，６４，６６，７４，７６，７８…第一エプロン、６２，６５，６７，７５，７７，７９…第二エプロン、７１…ガイド孔。
【図１】
0006652413.tif 000002
【図２】
0006652413.tif 000003
【図３】
0006652413.tif 000004
【図４】
0006652413.tif 000005
【図５】
0006652413.tif 000006
【図６】
0006652413.tif 000007
【図７】
0006652413.tif 000008
【図８】
0006652413.tif 000009
【図９】
0006652413.tif 000010
【図１０】
0006652413.tif 000011
【図１１】
0006652413.tif 000012
【図１２】
0006652413.tif 000013